(57)【要約】【課題】本発明は、遊技台の予約と外部表示を容易に行うことができる遊技台予約システムに関するものである。【解決手段】予約管理サーバーとなる予約管理装置と、該予約管理装置に接続されて予約端末となる予約申込み装置、遊技場に設置された外部表示装置、および遊技台毎に設けられた台外部表示器とからなって、予約管理装置が、レイアウト図作成手段と、遊技台情報記録手段と、予約受付設定手段と、予約判定手段と、予約表示手段とを有しており、前記予約申込み装置が、予約申込み情報を予約管理装置に送信する予約申込み情報送信手段と、予約管理装置から入力した予約判定のための台情報を表示するための外部表示部とからなっていることを特徴とする。【選択図】  図１
2017086241.tif 000002
【特許請求の範囲】
【請求項１】
予約管理サーバーとなる予約管理装置と、該予約管理装置に接続されて予約端末となる予約申込み装置、遊技場に設置された外部表示装置、および遊技台毎に設けられた台外部表示器とからなって、
予約管理装置が、各遊技台を格子状に仕切ったセルで表示した遊技台列のレイアウト図としてメモリーに記憶し、前記レイアウト図を外部表示装置に表示可能としたレイアウト図作成手段と、
該レイアウト図のセルに、該セルに対応した遊技台の台識別番号、台種別、台名称の全部または一部からなる台情報を関連づけてメモリーに記憶した遊技台情報記録手段と、
前記セルに対して、予約受付の開始から終了までの受付時間を設定してメモリーに記憶し、前記受付時間における予約申込み装置からの予約受付を可能にする予約受付設定手段と、
前記予約申込み装置から入力された遊技台の予約申込み情報に対して前記メモリーに記憶された遊技台情報を呼び出して申込まれた遊技台の予約の可否を判定する予約判定手段と、
該予約判定手段で遊技台の予約が決定されると、前記レイアウト図での該当する遊技台のセルに予約済みを示す識別子を付したレイアウト図をメモリーに記憶させると共に、前記外部表示装置と該当する遊技台の外部表示器に予約済みの識別子を表示させる予約表示手段とを有し、
前記予約申込み装置が、予約する遊技台の台識別番号と予約者情報とからなる予約申込み情報を前記予約管理装置に送信させる予約申込み情報送信手段と、予約管理装置からの情報を表示する外部表示手段とを有していることを特徴とする遊技台予約システム。
【請求項２】
レイアウト図が縦列と横列からなる格子で仕切られた多数のセルからなっており、各セルに該セルに対応する遊技台の台情報および予約申込み情報が関連づけられて予約管理装置のメモリーに記憶されていることを特徴とする請求項１に記載の遊技台予約システム。
【請求項３】
予約決定手段が、予約申込み情報を基に、予約時間の範囲内か否か、指定された遊技台に既に予約が設定されているか否かを判定してなることを特徴とする請求項１または２に記載の遊技台予約システム。
【発明の詳細な説明】
【技術分野】
【０００１】
本発明は、遊技台の予約と外部表示を容易に行うことができる遊技台予約システムに関するものである。
【背景技術】
【０００２】
従来、特開平９−３１３７０１号公報の遊技予約管理装置では、複数のパチンコ遊技機の各々に対応して設けられた複数の表示装置の各々と接続され、上記複数のパチンコ遊技機ごとに、該パチンコ遊技機を表す情報である遊技機情報と、該パチンコ遊技機での遊技を予約した利用者を表す情報である利用者情報、および、該パチンコ遊技機での遊技が予約されている時間帯である予約時間帯からなる予約情報とを記憶している予約情報記憶手段と、上記予約情報記憶手段の記憶内容を表示する予約情報表示手段と、上記表示装置の各々に、上記予約情報記憶手段が予約情報として記憶している予約時間帯のうちの、該表示装置が対応して設けられたパチンコ遊技機の遊技機情報に対応する予約時間帯を表示する予約時間帯表示手段とを備えた構成が開示されている。
しかし、上記構成では、個別のパチンコ遊技機に対しての予約を行うことはできるが,各予約情報をとりまとめて情報処理することができなかった、
【先行技術文献】
【特許文献】
【０００３】
【特許文献１】特開平９−３１３７０１号公報
【発明の概要】
【発明が解決しようとする課題】
【０００４】
この発明が解決しようとする問題点は、遊技台を予約するに際して、従来のように、遊技場の開店前に並ぶ必要がなく、予約申込み装置で台種別、台名称を選択し、これを条件として抽出された台識別番号の中から予約申込み者が希望する遊技台の台識別番号を選択することで、容易に遊技台の予約を行うことができる。
また、各遊技台に対応して格子状のセルを用いたレイアウト図を作成することで、前記セルに関連づけて遊技台の各種情報や予約の情報を記憶させることができ、予約する遊技台の選択や、予約済みの遊技台の外部表示を容易にかつ明確に行うことができる。
【課題を解決するための手段】
【０００５】
この発明は上記課題を解決するために、請求項１の発明では、
予約管理サーバーとなる予約管理装置と、該予約管理装置に接続されて予約端末となる予約申込み装置、遊技場に設置された外部表示装置、および遊技台毎に設けられた台外部表示器とからなって、
予約管理装置が、各遊技台を格子状に仕切ったセルで表示した遊技台列のレイアウト図としてメモリーに記憶し、前記レイアウト図を外部表示装置に表示可能としたレイアウト図作成手段と、
該レイアウト図のセルに、該セルに対応した遊技台の台識別番号、台種別、台名称の全部または一部からなる台情報を関連づけてメモリーに記憶した遊技台情報記録手段と、
前記セルに対して、予約受付の開始から終了までの受付時間を設定してメモリーに記憶し、前記受付時間における予約申込み装置からの予約受付を可能にする予約受付設定手段と、
前記予約申込み装置から入力された遊技台の予約申込み情報に対して前記メモリーに記憶された遊技台情報を呼び出して申込まれた遊技台の予約の可否を判定する予約判定手段と、
該予約判定手段で遊技台の予約が決定されると、前記レイアウト図での該当する遊技台のセルに予約済みを示す識別子を付したレイアウト図をメモリーに記憶させると共に、前記外部表示装置と該当する遊技台の外部表示器に予約済みの識別子を表示させる予約表示手段とを有し、
前記予約申込み装置が、予約する遊技台の台識別番号と予約者情報とからなる予約申込み情報を前記予約管理装置に送信させる予約申込み情報送信手段と、予約管理装置からの情報を表示する外部表示手段とを有していることを特徴とする。
請求項２の発明では、
前記レイアウト図が縦列と横列からなる格子で仕切られた多数のセルからなっており、各セルに該セルに対応する遊技台の台情報および予約申込み情報が関連づけられて予約管理装置のメモリーに記憶されていることを特徴とする。
請求項３の発明では、
前記予約決定手段が、予約申込み情報を基に、予約時間の範囲内か否か、指定された遊技台に既に予約が設定されているか否かを判定してなることを特徴とする。
【発明の効果】
【０００６】
本発明の遊技台予約システムでは、遊技場内の各遊技台に対応して格子状のセルを用いたレイアウト図を作成し、前記セルに関連づけて遊技台の各種情報や予約の情報をメモリに記憶したので、予約する遊技台の選択に際しては、前記セルに関連づけて記憶された各種情報をもとに予約申込み装置に予約のための選択肢を容易に表示させることができ、予約の判定を迅速に行うことができる。
【０００７】
また、前記レイアウト図は、セルの列で模式的に遊技台列を示しているので、外部表示装置に表示されたレイアウト図から予約済みの遊技台を直感的に視認することができる。
これと共に、各遊技台に装備された台外部表示器に予約済みの表示を行うことで、予約済みの有無の識別が容易となる。
また、予約申込み者は、予約申込み装置の印刷装置から予約券を交付される。
携帯電話やモバイルＰＣの場合は、ディスプレイに前記予約券情報が表示されるので、遊技台の予約を正確に認識することができ有益である。
これにより予約申込み者は、遊技場の開店時間や指定された時間に、予約券や予約券画面を提示することで、優先的に予約した遊技台で遊技することができる。
【図面の簡単な説明】
【０００８】
【図１】遊技台予約システムの機能を示すブロック図である。
【図２】遊技台の予約手順を示すフローチャート図である。
【図３】遊技台予約システムの外部表示を示すブロック図である。
【図４（ａ）】遊技台のレイアウト図を示す説明図である。
【図４（ｂ）】遊技台に対応するセルに台識別番号を割り振った図を示す説明図である。
【図５】予約受付時間の判定のブロック図である。
【図６】予約を申し込む台種別の選択、または台番号直接入力の選択のいずれかを行う場合の画面を含むブロック図である。
【図７】選択した台種別が有する台名称を選択する場合の画面を含むブロック図である。
【図８】選択した台種別、及び選択した台名称を有する遊技台の台識別番号を選択する場合の画面を含むブロック図である。
【図９】台番号直接入力を選択した場合の台番号入力画面を含むブロック図である。
【図１０】予約申込みを確認し、予約申込み者の個人情報の入力を促す画面の予約申込み装置のブロック図である。
【発明を実施するための形態】
【実施例１】
【０００９】
［遊技台予約システム］
遊技場Ｈに設置された遊技台Ｐを予約する遊技台予約システム１０は、図１および図２に示すように、予約管理サーバーとなる予約管理装置１と、該予約管理装置１にラインまたはインターネット回線を介して接続されて予約端末となる予約申込み装置３と、該予約申込み装置３に設けられた印刷装置やディスプレイからなる外部表示手段６と、前記予約管理装置１に接続されて、遊技場Ｈに設置された外部表示装置４および遊技台Ｐ毎に設けられた台外部表示器５とからなっている。
【００１０】
［予約管理装置］
予約管理装置１は、予約管理サーバーとして機能するコンピュータからなっており、レイアウト図作成手段１１と、遊技台情報記録手段１２と、予約受付設定手段１３と、予約判定手段１４と、予約表示手段１５と、メモリーＭとを備えている。
【００１１】
［レイアウト予約管理装置］
レイアウト図作成手段１１は、遊技場Ｈ内の全部または一部の遊技台Ｐのレイアウトを示すもので、遊技場（ホール）Ｈ内の遊技台Ｐの配置を格子状に仕切ったセルＣで表示しおり、各セルＣに関連づけて該セルＣに対応する遊技台Ｐの情報をメモリＭに記憶させることができる。
遊技場Ｈ内の遊技台Ｐは、並行に並んだ複数の列（遊技台Ｐの島）の組み合わせからなっており、該遊技台Ｐのレイアウトを縦横の線で格子状に仕切ったセル群で置き換えたレイアウト図Ｌとして前記メモリーＭに記憶し、前記レイアウト図Ｌを外部表示装置４に表示可能としている（図３参照）。
【００１２】
即ち、前記レイアウト図Ｌは、本実施例の場合、図表作成ソフトで作成され、前記格子状に仕切ったセル列が遊技台Ｐの配置に対応しており、該セル列を並列に配置することで遊技場Ｈ内の実際の遊技台Ｐの配列を直感的に視認できるように形成されている。
【００１３】
［遊技台情報記録手段］
前記レイアウト図Ｌの各セルＣには、該セルＣ対応する遊技台Ｐに関する台情報を関連づけてメモリーＭに記憶させるようになっている。
即ち、遊技台情報記録手段１２では、前記レイアウト図Ｌの各セルＣに、該セルＣに対応した遊技台Ｐの台識別番号、台種別、台名称からなる台情報を関連づけてメモリーＭに記憶させている。
【００１４】
「台識別番号」は、セルＣに対応する遊技台Ｐを識別するためのものであり、本実施例では自然数を付しているが、文字や記号、それらと数字の組み合わせなど任意に設定することができる。
これは、例えば、レイアウト図Ｌの図中最も左のセル列の最も上のセルＣに対して、遊技場Ｈでこれに対応する位置に配置された遊技台Ｐの台識別番号、例えば本実施例では自然数の「１」を設定する。
【００１５】
前記図中で、前記セル列で次の下に隣接するセルから順次下方に向かって、台識別番号の自然数を順番に「２」、「３」、「４」・・・のように同じセル列の一番下のセルまで自然数を割り当てる（例えば「２０」とする）。
次に、図中右のセル列に対しても、同様に順番に台識別番号としての自然数を上から下に向かって割り当てる（図示例では「２１」、「２２」、「２３」・・・のように付していく）。
このようにして遊技場Ｈ内の多数の遊技台ＰをセルＣで置き換えて、各セルに台識別番号を関連づけて記憶して、遊技場Ｈ内の遊技台Ｐを特定することができる（図４参照）。
【００１６】
「台種別」は、遊技台Ｐの種別であり、例えば、パチンコ（１玉１円の機種／４円の機種など）、スロットマシン（１玉５円の機種／８円の機種など）の各遊技台Ｐの種別を示す情報である。
「台名称」は、「ビッグシューター」（登録商標）、「大海物語」（登録商標）などの各遊技台Ｐで行われる遊技内容を示す台名やその略称を示す情報である。
従って、「台種別」と「台名称」を選択することで、条件に合致する遊技台Ｐが抽出されるので、抽出された台識別番号から１台を選択することで予約申込みの遊技台Ｐを特定することができる。
あるいは、台識別番号を直接に指定すれば、遊技台Ｐを特定することができる。
【００１７】
［予約受付設定手段］
予約受付設定手段１３では、予約対象となる遊技台Ｐに対して、予約受付の開始から終了までの受付時間を設定し、該受付時間をセルＣに関連付けてメモリーＭに記憶する。
これにより、後述の予約申込み装置３から予約管理装置１にアクセルがあった場合に、アクセスの日時が予約の受付時間か否かで予約の申込みの処理を行うか否かを判断することができる（図５参照）。
【００１８】
［予約判定手段］
予約判定手段１４は、予約申込み装置３から送信された遊技台Ｐの予約申込み情報に対して、前記メモリーＭに記憶された遊技台Ｐの台情報や予約の受付時間の情報を呼び出して、予約申込み情報で申し込まれた遊技台Ｐの予約の可否を判定する。
【００１９】
例えば、予約管理装置１への予約申込み装置３のアクセス時間が予約の受付時間内か否か判定し、受付時間内であれば、予約申込みの遊技台Ｐを特定するステップに進む。
即ち、予約申込み者が、予約を希望する遊技台Ｐの台識別番号を決めている場合には、台識別番号を予約申込み装置３に直接入力し、該当する遊技台Ｐの予約の有無をメモリＭから呼び出して判定し、予約が無ければ、予約を決定する（図９参照）。
【００２０】
予約申込み者が、台識別番号が分からない場合には、メモリＭから遊技台Ｐの台種別を選択可能に全て呼び出して予約申込み装置３に表示する（図６参照）。
予約申込み者が予約申込み装置３から特定の台種別を選択・入力すると、予約管理装置１は選択された台種別が有するすべての台名称をメモリＭから呼び出して予約申込み装置３に表示する（図７参照）。
【００２１】
予約申込み者が予約申込み装置３から特定の台名称を選択・入力すると、予約管理装置１は選択された台名称を有するすべての台識別番号をメモリＭから呼び出して予約申込み装置３に表示する（図８参照）。
そこで、予約申込み者は上記台識別番号の中から１つの台識別番号を選択・入力すると、予約管理装置１は選択された台識別番号の遊技台Ｐの予約が可能な否か判定し、可能な場合には予約を決定する。
【００２２】
このようにして、台予約が決定されると、該当する台識別番号の遊技台Ｐが予約済みとなった情報がメモリＭに記憶される。
既に他者によって予約済みとなっている場合には、再度、前記台識別番号の中から１つの台識別番号を選択・入力することができる。
ここで、事前に予約済みの情報が記憶された遊技台Ｐは、前記台名称が選択された場合に、選択可能に表示される台識別番号の中から除かれ、それ以外の台識別番号が予約申込み装置３に表示されるようにしてもよい。
【００２３】
［予約表示手段］
予約表示手段１５は、前記予約判定手段１４で遊技台Ｐの台識別番号が特定され予約が決定されると、決定された遊技台Ｐに対応するセルＣに、予約決定（予約済み）の情報を関連づけてメモリーＭに記憶される（図３参照）。
【００２４】
次に、本実施例では、前記レイアウト図Ｌで予約が決定された遊技台Ｐに対応するセルＣに予約を示す識別子（例えば予約済みのセルＣを赤色で塗りつぶす、またはセルの台識別番号を非表示とする等）を施して、予約管理装置１から外部表示装置４にレイアウト図Ｌを外部表示させる。
同時に、予約管理装置１に接続された各遊技台Ｐの台外部表示器５に、予約管理装置１から「予約済み」の文字や図形などの識別子を表示させる。
【００２５】
また、予約管理装置１は、予約申込み装置３の外部表示手段として、例えば、予約申込み装置３に設けられた印刷装置６に予約券情報を送信し、予約券を印刷させて、予約申込み者に交付する。
予約申込み装置３が携帯電話やモバイルＰＣなどの場合には、予約管理装置１は前記予約券に対応する画面情報を予約申込み装置３に出力して、携帯電話やモバイルＰＣのディスプレイに表示するようにしてもよい。
【００２６】
［予約申込み装置］
前記予約申込み装置３は、前記予約管理装置１にインターネットなどのネットワークを介して接続された予約端末としてのコンピューター構成の装置であって、遊技場Ｈの施設外に設置された専用の申込み装置や、予約申込み者が所有するモバイルコンピュータ、或いは携帯電話などであってもよい。
【００２７】
［予約申込み情報送信手段］
予約申込み装置３は、インターネットやパソコン間通信、携帯電話通信網などを介して予約管理装置１と接続されたコンピュータ構成からなっており、予約申込み情報を予約管理装置１に送信する送信手段３１と、予約管理装置１からの情報を表示するディスプレイや印刷装置のような外部表示手段６と、前記予約管理装置１と接続された台外部表示器５などを有している。
【００２８】
予約申込み情報送信手段３１は、予約する遊技台Ｐの台識別番号あるいは、遊技台Ｐの種別や名称などの予約台情報と、予約を申込む予約者情報とを入力して、予約管理装置１に送信し、予約管理装置１で処理された情報を受信してディスプレイに表示する構成からなっている。
図２には、予約申込み装置３と予約管理装置１との間で行われる予約処理手順を示す。
【００２９】
本実施例では、まず予約申込み装置３が予約管理装置１に接続されてアクセスされると（予約申込み装置３の電源ＯＮでもよい）、予約判定手段１４は、メモリＭから予約受付時間を呼び出し、前記予約申込み装置３のアクセス時間が予約受付時間内か否か判定し、予約受付時間外の場合には、「ただいま予約を行っていおりません」というメッセージ画面（第０画面Ｄ０）を予約申込み装置３のディスプレイに表示させる（図５参照）。
【００３０】
予約判定手段１４が前記アクセス時間を予約受付時間内と判定すると、前記メモリＭから遊技台情報を呼び出し、予約申込み装置３のディスプレイに、第１画面Ｄ１として、台種別の選択ボタンＢ１、Ｂ２、Ｂ３、・・と台番号直接入力ボタンＢ１１が表示される（図５参照）。
図示例では、台種別の選択ボタンの一例として、「１円パチンコ」ボタンＢ１と、「４円パチンコ」ボタンＢ２と、「５円スロット（マシン）」ボタンＢ３が表示され、同じ画面に「台番号直接入力」ボタンＢ１１が選択可能に表示される（図６参照）。
【００３１】
本実施例で選択ボタン（以下のボタンも同じ）は、タッチ式アイコンを用いたが、その他公知のデータ入力手段を用いることができる。
また１画面上に全部表示できない場合には、スライド式にして残りの選択ボタンを表示させるようにしてもよい。
そこで、予約申込み者は、特定の遊技台Ｐを決めていない場合には、前記ボタンの台種別の選択ボタンＢ１〜Ｂ３のいずれか１つを選択し、特定の遊技台Ｐを決めている場合には、台番号直接入力ボタンＢ１１を選択し、タッチする等して台識別番号の数字を入力する。
【００３２】
いずれか１つの台種別の選択ボタンを選択して入力すると、予約管理装置１ではメモリＭの遊技台情報から選択された台種別の遊技台を抽出し、該遊技台のすべての台名称を予約申込み装置３に送信し、予約申込み装置３のディスプレイに、選択可能にすべての台名称の選択ボタンＢ１１、Ｂ１２、・・の画面（第２画面Ｄ２）を表示させる（図７参照）。
図示例では、「ビッグシュータ」（登録商標）Ｂ１１、「大海物語」（登録商標）Ｂ１２・・などの台名称の選択ボタンが表示される。
【００３３】
予約申込み者が台名称の選択ボタンを選択して入力し、予約管理装置１に送信されると、予約判定手段１４は、メモリＭから、選択された台種別及び台名称を有する遊技台Ｐの台識別番号を抽出し、抽出された前記台識別番号の選択画面（第３画面Ｄ３）を予約申込み装置３のディスプレイに出力する（図８参照）。
【００３４】
本実施例では、ディスプレイの一方（図中右側）に選択する台識別番号のボタンＢ２１、Ｂ２２、Ｂ２３・・・を表示し、他方（図中左側）には、選択する台識別番号のセルを示すレイアウト図の要部Ｌ１を表示しており、遊技台の位置を確認しながら台識別番号のボタンＢ２２〜を選択し入力することができるようにしている。
【００３５】
また、前記第１画面Ｄ１で、台種別の選択ボタンＢ１〜を選択せず、「台番号直接入力」ボタンＢ１１を選択すると、図９に示すように、予約する遊技台Ｐの台識別番号を入力するための第４画面Ｄ４が表示される。
この画面は、一方（図中右側）に入力された予約する遊技台Ｐの台識別番号を確認する表示窓Ｗが形成され、他方（図中左側）には台識別番号を入力するためのテンキーボタンＴが表示されており、予約申込み者が、遊技台Ｐの台識別番号を直接に入力するようになっている。
【００３６】
上記いずれかの方法で予約申込みする遊技台Ｐが特定されると、予約申込み装置３を介して予約管理装置１に予約申込みする台識別番号の情報が送信され、予約判定手段１４で、該当する遊技台Ｐが予約受付の対象となっているか、既に予約済みとなっていないかを判定し、いずれもクリアすると予約可と判定されて前記予約を受け付ける。
予約を受付けると予約管理装置１から予約申込み装置３に、例えば、図１０に示すように、予約対象を確認するメッセージが送信され、台名称（ここでは「大海物語」（登録商標）とする）と台識別番号（ここでは「００３」とする）の台予約の確認画面が予約申込み装置３のディスプレイに表示される。
【００３７】
予約申込み者が遊技台利用に関する会員登録をしている者に対して、前記ディスプレイに会員カードのデータ入力を促すメッセージが表示される。
そこで、予約申込み者は自分が所持する会員カードを予約申込み装置３のカードリーダにかざすなどしてカードに記録されている会員情報を入力し、入力された会員情報は予約管理装置１に送信されて、前記予約情報と共に所定のセルに関連づけてメモリＭに記憶される。
【００３８】
上記の場合は、予約申込み者が予め個人情報を登録した会員カードを持っている場合を例示したが、直接に予約申込み者の個人情報を予約申込み装置３に入力するようにしてもよい。
上記個人情報の入力によって予約の確認および予約の登録が行われるが、予約しない場合には、図示しない「戻る」ボタンをタッチして再度、予約する遊技台Ｐの選択を行う。
【００３９】
予約受付時間内で予約済みとなった遊技台Ｐに対応するセルＣは、随時、予約表示手段１５によりメモリＭから呼び出されて、レイアウト図に予約済みを示す識別子（例えば予約済みのセルＣを赤色で塗りつぶしたり、セルＣに表示している台識別番号を非表示する等）を施して、予約管理装置１から遊技場Ｈに設置された大型ディスプレイなどの外部表示装置４に予約済み台を示したレイアウト図Ｌとして外部表示される。
【００４０】
また、予約表示手段１５は、予約管理装置１やこれと接続されたホールコンピュータ等の遊技場管理装置に接続されて、各遊技台Ｐ毎に備え付けられた液晶端末等の台外部表示器５に、「予約済み」の文字や図形などの識別子を表示させる。
更に、予約表示手段１５は、予約申込み装置３の外部表示手段として、例えば、予約申込み装置３に装備された印刷装置６に予約券情報を送信して予約券を印刷させ、予約申込み者に交付する（図３参照）。
【００４１】
また、予約申込み装置３が携帯電話やモバイルＰＣなどの場合には、前記予約券に対応する予約済み画面情報を前記予約申込み装置３に出力して、携帯電話やモバイルＰＣのディスプレイに表示することができる。
予約管理装置は、図示しないホールコンピュータ等の遊技場管理装置と接続することで、予約申込み者は、予約申込み装置を介して各遊技台の過去の実績データを参照することができ、予約する遊技台の選定に参考とすることもできる。
また、遊技台の台番号や名称による予約の履歴を集計し、統計処理することもできる。
そこで、クラウドコンピューティングサービスを広げて、異なるモバイルポータルサイトや異なる遊技場のホールコンピューターと連携して、遊技台情報を串刺しにして、遊技場の店舗ランキングや優秀台ランキングを予約申込み装置に外部表示をするようにしてもよい。
【００４２】
例えば、予約申込み装置３で、遊技台の選定に際して、選定対象となる遊技場の範囲を予約申込み者が希望する１または複数の遊技場にしたり、予約申込み者が移動可能な位置にある遊技場全般に広げるようにしてもよい。その際に携帯電話やモバイルＰＣなどのＧＰＳ機能を利用することでロケーションを絞ることができる。
また、各遊技場のホールコンピュータの有する遊技台の大当たり回数や出玉情報の過去履歴などの様々な情報も共有化することができるので、予約申込み装置３による予約申込みに際してもそれらを選定条件の１つとすることもできる。
【００４３】
そして、選定条件に合致して抽出された特定の遊技場の遊技台の台識別番号は、予約申込み装置３に送信され、該台識別番号をもとに予約申込み者は予約することができるようにしてもよい。
また、選定条件に合致する遊技台が抽出されない場合には、予約申込み者は選定条件を予約登録することができるようにしておけば、前記選定条件に合致する遊技台が抽出された時点でその台識別番号が、予約申込み者の予約申込み装置にプッシュ通知やメールにより送信されるなどの構成とすることもできる。
その他この発明は上記実施例に限定されるものではなく、要旨を変更しない範囲で種々設計変更することができる。
【符号の説明】
【００４４】
１  予約管理装置
３  予約申込み装置
４  外部表示装置
５  台外部表示器
６  外部表示手段としての印刷装置
７  入力手段の一例としてのカードリーダ
１０  遊技台予約システム
１１  レイアウト図作成手段
１２  遊技台情報記録手段
１３  予約受付設定手段
１４  予約判定手段
１５  予約表示手段
３１  予約申込み情報送信手段
Ｃ  セル
Ｌ  レイアウト図
Ｍ  メモリー
【図１】
2017086241.tif 000003
【図２】
2017086241.tif 000004
【図３】
2017086241.tif 000005
【図４（ａ）】
2017086241.tif 000006
【図４（ｂ）】
2017086241.tif 000007
【図５】
2017086241.tif 000008
【図６】
2017086241.tif 000009
【図７】
2017086241.tif 000010
【図８】
2017086241.tif 000011
【図９】
2017086241.tif 000012
【図１０】
2017086241.tif 000013